(57)【要約】【課題】良好な操作性と適当なカード状体押出し量とを両立させた取出し機構を備えたカードコネクタの提供。【解決手段】押出しレバー７の押出し部７２は、被押込み部７１側に配置され、カード状体３の後面部に始めに接触する初期作用点部７２３と、カード状体挿入時において初期作用点部７２３より先端側且つ後方に配置され、押出しレバー７の回転に伴い初期作用点部７２３より前側に移動し、カード状体の後面部と接触する後期作用部７２４とを備えている。【選択図】図６
2016031835.tif 000002
【特許請求の範囲】
【請求項１】
カード状体が挿入されるカード挿入部を有するハウジングと、前記カード挿入部内に突出するように前記ハウジングに保持された複数のコンタクトと、前記カード挿入部の奥側に回転可能に配置された押出しレバーと、該押出しレバーを操作する為の操作部材とを備え、
前記押出しレバーには、一端側に前記操作部材と接触する被押込み部が、他端側に前記カード状体の後面部と接触する押出し部がそれぞれ形成され、
カード状体挿入時に前記押出し部がコネクタ幅方向に向けられ、前記操作部材で前記被押込み部を押し込み、前記押出しレバーを回転させることにより、前記押出し部が前記カードトレイを押し出し方向に押圧するようにしたカードコネクタにおいて、
前記押出し部は、被押込み部側に配置され、前記カード状体の後面部に始めに接触する初期作用点部と、前記カード状体挿入時において前記初期作用点部より先端側且つ後方に配置され、前記押出しレバーの回転に伴い前記初期作用点部より前側に移動し、前記カード状体の後面部と接触する後期作用部とを備えていることを特徴とするカードコネクタ。
【請求項２】
前記押出し部は、前記カード状体挿入時において前記初期作用点部より先端側に先端後方に向けて傾斜した傾斜面を有し、該傾斜面が前記後期作用部を形成する請求項１に記載のカードコネクタ。
【請求項３】
前記押込みレバーは、前記被押込み部と前記押出し部とが互いに屈曲して配置されたへ字状に形成された請求項１又は２に記載のカードコネクタ。
【請求項４】
前記操作部材は、先端幅方向に前記被押込み部の先端側と接触する長ストローク操作部と、前記被押込み部の押出し部側と接触する短ストローク操作部とを並列に有する押し込み動作部を備え、前記短ストローク操作部を前記長ストローク操作部よりも前記押出し部側に片寄せて配置した請求項１〜３の何れか１項に記載のカードコネクタ。
【請求項５】
前記押し込み動作部は、前記長ストローク部と前記短ストローク部とが前後方向で段状を成すように形成された請求項４に記載のカードコネクタ。
【発明の詳細な説明】
【技術分野】
【０００１】
本発明は、携帯電話機やスマートフォン等の電子機器にＩＣカードやフラッシュメモリーカード等のカードを接続するためのカードコネクタであって、押出しレバーの操作によりカードトレイ等を取り出し可能なカードコネクタに関する。
【背景技術】
【０００２】
従来、この種のカードコネクタにおいては、カードトレイ等のカード状体が挿入されるカード挿入部の奥側に回転可能な押出しレバーを配置し、ハウジング側部に配置された操作部材を人力で押し込み操作することで押出しレバーを回転軸回りに回転させ、押出しレバーの他端でカードトレイを押し出すようにした取出し機構付きのものが知られている（例えば、特許文献１を参照）。
【０００３】
この取出し機構は、図１０に示すように、操作部材９０を介して人力による押圧力Ｆ１を押出しレバー９１に伝達し、それを回動軸９２（回転支点）回りの回動運動に変換し、梃子の原理を利用してレバーの他端よりカードトレイ９３に押出し方向の力Ｆ２を作用させる構造となっている。
【０００４】
従って、この種のカードコネクタにおいて、人力による押圧力Ｆ１と押出し方向の力Ｆ２との関係及び操作部材の押し込み量と押出しレバーによる押出し量（押出し力によるカード状体の移動量）との関係は、操作部材９０による押し込み力Ｆ１が作用する位置と回転軸（回転支点）との距離ｄ１（以下、被押込み部長さという）と、回転軸（回転支点）とカードトレイの後縁と接触する点までの距離ｄ２（以下、押出し部長さという）との比ｄｘ＝ｄ１／ｄ２（以下、レバー分割比という）により決定される。
【０００５】
即ち、押出しレバー全体に占める押出し部長さｄ２を小さくし、レバー分割比ｄｘを相対的に大きくした場合には、小さな押圧力Ｆ１でカード状体を押し出すことができるが、操作部材の単位押込み量当たりのカード状体の押出し量が小さくなり、一方、押出しレバーの全体の距離に占める押出し部長さｄ２を大きくし、レバー分割比ｄｘを相対的に小さくした場合には、操作部材の単位押込み量当たりのカード状体の押出し量が大きくなるが、カード状体を抜き出すために必要な押込み力Ｆ１が増すという関係がある。
【０００６】
一方、この種のカードコネクタでは、カード状体をカード挿入部に挿入した際、カード状体が容易にハウジングより抜け出さないようにロック機構を備えたものが知られており、カード状体を取り出す際には、ロック機構の保持力に勝る押出し力Ｆ２を必要とする。
【先行技術文献】
【特許文献】
【０００７】
【特許文献１】特開平１０−５０４０６号公報
【発明の概要】
【発明が解決しようとする課題】
【０００８】
従って、上述の如き従来のカードコネクタでは、カード取出し機構の性能がレバー分割比により大きく左右され、カード状体を抜き出すために必要な押込み力Ｆ１を優先してレバー分割比を決定するとカード状体の押出し量が不足してカード状体が取出し難いという問題があり、操作部材の単位押込み量当たりの押出し量を優先すると取出し動作に必要な押し込み力が増して操作性が損なわれるという問題があった。
【０００９】
更には、カード状体を抜き出すために必要な押込み力Ｆ１と押出し部による押出し量とが上述の如き関係を有することから、良好な操作性と適当なカード状体の押出し量とを両立させることが困難であった。
【００１０】
そこで、本発明は、このような従来の問題に鑑み、良好な操作性と適当なカード状体押出し量とを両立させた取出し機構を備えたカードコネクタの提供を目的としてなされたものである。
【課題を解決するための手段】
【００１１】
上述の如き従来の問題を解決し、所期の目的を達成するための請求項1に記載の発明の特徴は、カード状体が挿入されるカード挿入部を有するハウジングと、前記カード挿入部内に突出するように前記ハウジングに保持された複数のコンタクトと、前記カード挿入部の奥側に回転可能に配置された押出しレバーと、該押出しレバーを操作する為の操作部材とを備え、前記押出しレバーには、一端側に前記操作部材と接触する被押込み部が、他端側に前記カード状体の後面部と接触する押出し部がそれぞれ形成され、カード状体挿入時に前記押出し部がコネクタ幅方向に向けられ、前記操作部材で前記被押込み部を押し込み、前記押出しレバーを回転させることにより、前記押出し部が前記カードトレイを押し出し方向に押圧するようにしたカードコネクタにおいて、前記押出し部は、被押込み部側に配置され、前記カード状体の後面部に始めに接触する初期作用点部と、前記カード状体挿入時において前記初期作用点部より先端側且つ後方に配置され、前記押出しレバーの回転に伴い前記初期作用点部より前側に移動し、前記カード状体の後面部と接触する後期作用部とを備えているカードコネクタにある。
【００１２】
請求項２に記載の発明の特徴は、請求項１の構成に加え、前記押出し部は、前記カード状体挿入時において前記初期作用点部より先端側に先端後方に向けて傾斜した傾斜面を有し、該傾斜面が前記後期作用部を形成することにある。
【００１３】
請求項３に記載の発明の特徴は、請求項１又は２の構成に加え、前記押込みレバーは、前記被押込み部と前記押出し部とが互いに屈曲して配置されたへ字状に形成されたことにある。
【００１４】
請求項４に記載の発明の特徴は、請求項１〜３の何れか１項の構成に加え、前記操作部材は、先端幅方向に前記被押込み部の先端側と接触する長ストローク操作部と、前記被押込み部の押出し部側と接触する短ストローク操作部とを並列に有する押し込み動作部を備え、前記短ストローク操作部を前記長ストローク操作部よりも前記押出し部側に片寄せて配置したことにある。
【００１５】
請求項５に記載の発明の特徴は、請求項４の構成に加え、前記押し込み動作部は、前記長ストローク部と前記短ストローク部とが前後方向で段状を成すように形成されたことにある。
【発明の効果】
【００１６】
本発明に係るカードコネクタは、上述したように、カード状体が挿入されるカード挿入部を有するハウジングと、前記カード挿入部内に突出するように前記ハウジングに保持された複数のコンタクトと、前記カード挿入部の奥側に回転可能に配置された押出しレバーと、該押出しレバーを操作する為の操作部材とを備え、前記押出しレバーには、一端側に前記操作部材と接触する被押込み部が、他端側に前記カード状体の後面部と接触する押出し部がそれぞれ形成され、カード状体挿入時に前記押出し部がコネクタ幅方向に向けられ、前記操作部材で前記被押込み部を押し込み、前記押出しレバーを回転させることにより、前記押出し部が前記カードトレイを押し出し方向に押圧するようにしたカードコネクタにおいて、前記押出し部は、被押込み部側に配置され、前記カード状体の後面部に始めに接触する初期作用点部と、前記カード状体挿入時において前記初期作用点部より先端側且つ後方に配置され、前記押出しレバーの回転に伴い前記初期作用点部より前側に移動し、前記カード状体の後面部と接触する後期作用部とを備えていることにより、取出し作業の初期段階とその後とでレバー分割比が切り替わるので、ロックされた状態にある初期段階では小さな押込み力で最大の押出し力を得られ、その後は少ない押し込み量でカード状体の押出し量を得ることができ、良好な操作性と適当なカード状体の押出し量とを両立させることができる。
【００１７】
また、本発明において、前記押出し部は、前記カード状体挿入時において前記初期作用点部より先端側に先端後方に向けて傾斜した傾斜面を有し、該傾斜面が前記後期作用部を形成することにより、カード状体と接触する位置、即ち、カード状体を押し出すための力の作用点が円滑に押出し部の先端側に移動する。
【００１８】
更に、本発明において、前記押込みレバーは、前記被押込み部と前記押出し部とが互いに屈曲して配置されたへ字状に形成されたことにより、被押込み部における操作部材が接触する位置を好適に切り替えることができる。
【００１９】
また、本発明において、前記操作部材は、先端幅方向に前記被押込み部の先端側と接触する長ストローク操作部と、前記被押込み部の押出し部側と接触する短ストローク操作部とを並列に有する押し込み動作部を備え、前記短ストローク操作部を前記長ストローク操作部よりも前記押出し部側に片寄せて配置したことにより、カード状体の取出し操作の初期段階とその後とで被押込み部の操作部材が接触する位置と回転中心との間の距離を切り替えることができる。
【００２０】
更に、本発明において、前記押し込み動作部は、前記長ストローク部と前記短ストローク部とが前後方向で段状を成すように形成されたことにより、被押込み部と操作部材とが接触する位置を容易に移動させることができる。
【図面の簡単な説明】
【００２１】
【図１】本発明に係るカードコネクタの一例を示す斜視図である。
【図２】同上のカードトレイを引き出した状態の分解斜視図である。
【図３】図１中のハウジングの分解斜視図である。
【図４】図３中のハウジング本体を示す平面図である。
【図５】（ａ）は図４中の押出しレバーを示す平面図、（ｂ）は同正面図である。
【図６】押出しレバーの動作を説明するための図であって、カードトレイ挿入時のシールドカバーの天板部を取り除いた平面図である。
【図７】同上の押出しレバー収容部分を示す部分拡大平面図である。
【図８】押出しレバーの動作を説明するための図であって、カードトレイ取出し時のシールドカバーの天板部を取り除いた平面図である。
【図９】同上の押出しレバー収容部分を示す部分拡大平面図である。
【図１０】従来のトレイ式カードトレイのトレイ取出し機構を説明する為のシールドカバーを取り除いた状態の部分拡大平面図である。
【発明を実施するための形態】
【００２２】
次に、本発明に係るカードコネクタの実施態様を図１〜図９に示した実施例に基づいて説明する。尚、図中符号１はＩＣカード等のカード、符号２はカードコネクタである。また、本実施例においては、カード状体挿抜方向の手前側を前、奥側を後として説明する。
【００２３】
また、カード状体には、ＩＣカードやフラッシュメモリーカード等のカード単体の他、カードトレイやアダプタを使用するものを含み、本実施例では、カード１を収容可能なカードトレイ３をカード状体とした例について説明する。
【００２４】
カードコネクタ２は、カードトレイ３等のカード状体が挿入されるカード挿入部４１を有するハウジング４と、カード挿入部４１内に突出するようにハウジング４に保持された複数のコンタクト５，５...とを備え、カード挿入部４１にカードトレイ３を挿入することにより、カードトレイ３に収容されたカード１の表面に形成された各信号接続用パッド（図示せず）にそれぞれ対応するコンタクト５，５...が接触し、カード１とコネクタが実装される実装基板とを電気的に接続するようになっている。
【００２５】
また、このカードコネクタ２には、カード挿入部４１の奥側に回転可能に配置された押出しレバー７と、押出しレバー７を操作する為の操作部材８とを備え、軸用凸部６回りに押出しレバー７を回転動作させることにより押出しレバー７の一端でカードトレイ３を押し出すことができるようにした取出し機構を備えている。
【００２６】
ハウジング４は、図４に示すように、絶縁性合成樹脂製の底板部４２１を有するハウジング本体４２と、導電性金属製のシールドカバー４３とを組み付けることによりカード挿入部４１が前面に開口した中空箱状に形成され、前面の開口よりカードトレイ３等のカード状体を出し入れするようになっている。
【００２７】
ハウジング本体４２は、ハウジング４の底板部を構成する底板部４２１と、底板部４２１の両側縁部より立ち上げた形状の側壁部４２２ａ，４２２ｂと、底板部４２１の後縁より立ち上げた形状の後壁部４２３とを備え、底板部４２１、両側壁部４２２ａ，４２２ｂ及び後壁部４２３によって、上面側が凹んだ形状のカード挿入部４１が形成され、その上面がシールドカバー４３の天板部４３１によって覆われ、天板部４３１と底板部４２１との間にカードトレイ３が挿入されるようになっている。
【００２８】
このハウジング本体４２の底板部４２１には、導電性金属板材を打ち抜き・折り曲げ加工することにより形成された複数のコンタクト５，５...がインサート成形により組み込まれ、各コンタクト５，５...の弾性接触片部５１がカード挿入部４１内に突出し、弾性接触片部５１先端の接点５１１がカード１の対応するパッド部と接触するようになっている。
【００２９】
また、ハウジング本体４２には、カード挿入部４１奥側の一方に片寄せた配置にレバー収容部４２４を備えるとともに、一方の側壁部４２２ａの内側に棒状の操作部材８をトレイ挿抜方向でスライド移動可能に保持する操作部材保持部４２５とを備え、レバー収容部４２４に押出しレバー７が回転動作可能に収容されるとともに、操作部材保持部４２５に棒状の操作部材８が前後方向で移動可能に収容されている。
【００３０】
押出しレバー７は、図５に示すように、一端側に操作部材８と接触する被押込み部７１が、他端側にカードトレイ３の後面部３６と接触する押出し部７２がそれぞれ形成され、カード状体挿入時に押出し部７２がコネクタ幅方向に向けられるように保持され、操作部材８を押し込み方向に動作させることにより、被押込み部７１が押し込まれ、それに伴い、押出しレバー７がハウジング４の天板部４３１より突出した軸用凸部６の後方に当接した状態で軸用凸部６回りに回転するようになっている。
【００３１】
また、押出しレバー７は、被押込み部７１と押出し部７２とが互いに所望の角度で屈曲した形状に形成されて平面視へ字状を成し、その前面側に屈曲部７３が形成され、この屈曲部７３が軸用凸部６に外周面後側に当接し、回転時の支点となっている。
【００３２】
この押出しレバー７は、金属製板材をプレス加工することにより一体に形成され、被押込み部７１及び押出し部７２がそれぞれ平板状の上面板と、上面板の前側縁より垂直下向きに折り曲げた動作面板とにより構成され、上面板がへ字状を成すとともに、へ字の屈曲に整合させて動作面板に屈曲部７３が形成されている。
【００３３】
押出し部７２は、被押込み部側に配置された初期作用点部７２３と、カード状体挿入時において初期作用点部７２３より先端側且つ後方に配置された後期作用部７２４とを備え、初期作用点部７２３がカード状体挿入時のコネクタ幅方向に向けられた状態から回転動作に伴いカードトレイ３の後面部３６に始めに接触し、後期作用部７２４が押出しレバー７の回転に伴い初期作用点部７２３より前側に移動し、カードトレイ３の後面部３６と接触するようになっている。
【００３４】
この押出し部７２は、カード状体挿入時においてカード状体後端面と略平行に対向する平坦面と、その平坦面の先側終端より先端後方に向けて傾斜する傾斜面とを前面側に備え、その平坦面の先側終端近傍に初期作用点部７２３が配置され、傾斜面が後期作用部７２４を形成している。尚、傾斜面は、前面側に膨出した円弧状に形成されている。
【００３５】
即ち、押出し部７２は、回転を開始すると、図７に示すように、初めに押出し部長さｄ２が短い初期作用点部７２３がカードトレイ３の後面部３６と接触してカードトレイ３を押し出す際の作用点となり、その後、図９に示すように、押出しレバー７の回転に伴い後期作用部７２４が初期作用点部７２３より前側に移動することにより、初期作用点部７２３がカードトレイ後面部３６より離脱し、押出し部長さｄ２の長い後期作用部７２４がカードトレイ３の後面部３６に接触し、後期作用部７２４にカードトレイ３を押し出す力の作用点が切り替わるようになっている。
【００３６】
また、傾斜面が後期作用部７２４を形成していることで当該作用点は、回転が進むにつれて後期作用部７２４上を先端側に向けて移動するようになっている。
【００３７】
被押込み部７１は、押出し部７２の基端より斜め前方に延出した形状を成し、カード状体挿入時において、動作面部の先端、即ち、回転中心より最も遠い端が操作部材８の先端（後端）に最も近く位置するようになっている。
【００３８】
尚、この押出しレバー７は、図６に示すように、押出し部７２の上面板が後壁部４２３上に被さり、且つ、押出し部７２の動作面板裏面が後壁部４２３内面の内側に配置された状態でレバー収容部４２４に収容され、屈曲部７３が軸用凸部６の外周面後側に当接するようになっている。
【００３９】
また、押出しレバー７が回転した際には、被押込み部７１の上面板が後壁部４２３に被さる位置まで移動することにより、後壁部４２３が押出しレバー７の動作を阻害しないようになっている。
【００４０】
また、押出しレバー７には、上面板を切り起こし加工することにより被案内突部７４が形成されている。
【００４１】
操作部材８は、前後方向に長い棒状に形成され、前端部に外向きに折り曲げた形状の被押圧部８１が一体に形成されるとともに、後端部に押出しレバー７の被押込み部７１と接触する押し込み動作部８２を備えている。
【００４２】
押し込み動作部８２は、後端に被押込み部７１の先端側と接触する長ストローク操作部８２１と、被押込み部７１の押出し部側と接触する短ストローク操作部８２２とをコネクタ幅方向で並列に備え、短ストローク操作部８２２を長ストローク操作部８２１よりも押出し部側に片寄せて配置している。
【００４３】
本実施例においては、長ストローク操作部８２１と短ストローク操作部８２２とが前後方向で段状を成し、長ストローク操作部８２１に対し短ストローク操作部８２２が前方に突出させ、且つ、短ストローク操作部８２２を長ストローク操作部８２１より押出し部側に片寄せて配置、即ち、回転中心に近い側に配置している。
【００４４】
従って、操作部材８をカード挿抜方向で押し込むと、先ず、図７に示すように、長ストローク操作部８２１が被押込み部７１の先端と接触し、更に操作部材８を押し込み、押出しレバー７が回転すると、図９に示すように、被押込み部７１の先端が長ストローク操作部８２１より離脱し、短ストローク操作部８２２が被押込み部の押出し部側と接触するようになっている。
【００４５】
シールドカバー４３は、導電性金属板材をプレス加工することにより一体に形成され、平板状の天板部４３１と、天板部４３１の側縁より垂直に折り曲げた形状の側板部４３２，４３２と、天板部４３１の後縁より垂直に折り曲げた後端板部４３３とを備えている。
【００４６】
天板部４３１には、後方部の前記押出しレバー７収容部と整合させた位置に下向きに突出した軸用凸部６が一体に形成され、シールドカバー４３をハウジング本体４２と組み付けることにより、軸用凸部６が押出しレバー７の手前側に挿入され、押出しレバー７の屈曲部７３が軸用凸部６の外周面に当接するようになっている。
【００４７】
軸用凸部６は、天板部４３１を構成する金属板材を絞り加工することにより天板部４３１より下向きに突出した円柱状に形成され、天板部４３１内面から突端６１面までの高さ（軸高さ）が天板部４３１と底板部４２１との間の距離、即ち、カード挿入部４１高さより短く形成されている。
【００４８】
また、天板部４３１には、軸用凸部６の周囲に軸用凸部６と同心円弧状の案内溝４３４が形成され、この案内溝４３４に押出しレバー７の上面に突出した被案内突部７４を案内させることにより、押出しレバー７が軸用凸部６回りの回転軌道より逸脱しないようにしている。
【００４９】
カードトレイ３は、図２に示すように、カード１が収容されるトレイ本体３１と、トレイ本体３１の前端部にフランジ状に固定された前面蓋部３２とを備えている。
【００５０】
トレイ本体３１は、絶縁性合成樹脂材により平板状に形成され、片面側よりカード１が嵌り込む板厚方向に貫通した矩形孔状のカード収容部３３を備えている。
【００５１】
また、トレイ本体３１には、ハウジング４のカード挿入部４１内に挿入された際に、カード挿入部４１からのトレイ本体３１の抜け出しを防止する抜け出し防止手段を備えている。
【００５２】
抜け出し防止手段の態様は、特に限定されないが、例えば、本実施例のようにトレイ本体３１の表面にトレイ本体３１の厚み方向に膨出した膨出部３１１，３１１を備え、この膨出部３１１，３１１をカード挿入部４１の天板部４３１に所望の位置で係合させることによりトレイ本体３１のトレイ挿入部４１に対する抜け出しを防止する。
【００５３】
カード収容部３３は、カード１の形状に整合した矩形孔状に形成され、その底側内側縁部に内向きに張り出したカード支持部（図示せず）を備え、このカード支持部にカード１の両側縁部を支持させることにより、信号伝達用のパッド部を底側に露出させた状態にカード１を収容できるようになっている。
【００５４】
また、トレイ本体３１には、後面部の軸用凸部６に整合させた位置に回避用凹部３４が形成され、カードトレイ３（トレイ本体３１）をカード挿入部４１に挿入した際に軸用凸部６が回避用凹部３４に回避し、ハウジング４に占める軸用凸部６のスペースとカードトレイ３のハウジング４に占めるスペースとが重複するようになっている。
【００５５】
前面蓋部３２には、前面に開口したトレイ挿抜方向に向けたピン挿通孔３２４が操作部材８の位置と連続配置となるように形成され、このピン挿通孔３２４に操作用ピン３５がトレイ挿抜方向に移動可能に収容されている。
【００５６】
このように構成されたカードコネクタ２では、カード状体３がハウジング４にロックされて最も力を必要とする取出し作業の初期段階において、図７に示すように、操作部材８が被押込み部７１に接触する位置と回転中心との間の距離、即ち、被押込み部長さｄ１が最も長く、回転中心とカードトレイ３を押し出す作用点との距離、即ち、押出し部長さｄ２が最も短い状態にあって、レバー分割比ｄｘ＝ｄ１／ｄ２が相対的に大きくなり、小さな押込み力Ｆ１で必要な押出し力Ｆ２を得ることができる。
【００５７】
一方、操作部材８を押し込み、押出しレバー７を更に回転させると、カード状体３が押出し方向に移動してハウジング４に対するロック状態から脱する。
【００５８】
また、押出しレバー７の回転に伴い、押出し部７２のカードトレイ３に接触する位置、即ち、カードトレイ３を押し出す作用点が初期作用点部７２３から後期作用部７２４に移動し、更に、押出しレバー７の回転が進むにつれて後期作用部７２４の先端側に移行し、押出し部長さｄ２が順次長くなっていく。
【００５９】
即ち、カードトレイ３がハウジング４に対するロック状態より脱した後は、相対的に押出し量を確保する上で優位なレバー分割比ｄｘに切り替わり、カードトレイ３の押し出し量を確保できる。
【００６０】
更には、操作部材８を押し込み、押出しレバー７が回転すると、図９に示すように、長ストローク操作部８２１が被押込み部７１の先端より離脱し、短ストローク操作部８２２が被押込み部７１の押出し部側と接触し、被押出し部長さｄ１が短くなるので、レバー分割比は、さらに小さくなり、操作部材の単位押込み量当たりの押し出しレバーによる押出し量が大きくなる。
【００６１】
尚、押し込み動作部８２の形状は、上述の実施例に限定されず、例えば、押し込み動作部の後端をコネクタ幅方向外側から内側後方に向けて傾斜した形状とし、長ストローク操作部８２１と短ストローク操作部８２２とが斜め方向で連続するようにしてもよく、長ストローク操作部８２１と短ストローク操作部８２２とを幅方向で連続した形状とし、押出しレバーの被押込み部の押出し部側に前方に向けて突出した部分を設けるようにしてもよい。
【００６２】
また、本実施例においては、押出しレバーの前面側を軸用凸部に当接させ、軸用凸部回りに押出しレバーを回転させる構造のものについて説明したが、押出しレバーに軸穴を設け、回転軸に回転可能に支持させるようにしたものであってもよい。
【符号の説明】
【００６３】
１  カード
２  カードコネクタ
３  カードトレイ
３１  トレイ本体
３１１  膨出部
３２  前面蓋部
３２１  蓋本体
３２２  連結部
３２３  凸部
３２４  ピン挿通孔
３３  カード収容部
３４  回避用凹部
３５  操作用ピン
４  ハウジング
４１  カード挿入部
４２  ハウジング本体
４２１  底板部
４２２  側壁部
４２３  後壁部
４２４  レバー収容部
４２５  操作部材保持部
４３  シールドカバー
４３１  天板部
４３２  側板部
４３３  後端板部
４３４  案内溝
５  コンタクト
５１  弾性接触片部
５１１  接点
６  軸用凸部
７  押出しレバー
７１  被押込み部
７２  押出し部
７２３  初期作用点部
７２４  後期作用部
７３  屈曲部
７４  被案内突部
８  操作部材
８１  被押圧部
８２  押し込み操作部
８２１  長ストローク操作部
８２２  短ストローク操作部
【図１】
2016031835.tif 000003
【図２】
2016031835.tif 000004
【図３】
2016031835.tif 000005
【図４】
2016031835.tif 000006
【図５】
2016031835.tif 000007
【図６】
2016031835.tif 000008
【図７】
2016031835.tif 000009
【図８】
2016031835.tif 000010
【図９】
2016031835.tif 000011
【図１０】
2016031835.tif 000012